(57)【要約】      （修正有）【課題】一つの熱源で多槽をもつ一つの鍋により二つ以上の調理作業を同時に行うための調理鍋に関する。【解決手段】鍋容器内に仕切りを設け多槽の容器をもつ構造とする。【選択図】図１
0003103421.tif 000002
【実用新案登録請求の範囲】
【請求項１】
鍋容器内に仕切りを設け多槽の容器をもつ調理鍋
【考案の詳細な説明】
【考案の詳細な説明】
【技術分野】
【０００１】この考案は、一つの熱源で多槽をもつ一つの鍋により二つ以上の調理作業を同時に行うための調理鍋に関するものである。
【背景技術】
【０００２】  一人暮らしをする者にとって、電子レンジかお湯で温めたらいいだけのパックご飯や冷凍食品、麺類などの即席食品、またインスタント食品、レトルト食品等は非常に簡単に調理が出来大変便利である。外食やコンビニ弁当に飽きたり、食費を抑えようと自炊しても食材が残りかえって無駄になった経験をした一人暮らしの人は多いと思われる。そんなとき、先に述べた食品類は、短時間で調理が出来、味もまあまあで、無駄な食材の余りもでないので、時間的経済的にもありがたいものである。こんにち、それら商品の種類、数は非常に多い。そしてこれらの食品の調理方法は鍋等で沸かした熱湯を必要とするものが多い。一つの鍋等で沸かした熱湯でこと済む場合もあれば、二つ以上の鍋等で沸かした熱湯を必要とする場合もある。つまり上記にあげた食品であっても、調理するもの、種類、数によっては、熱湯が二段階以上必要となる場合がある。
また、鍋料理専用で食卓用のものとして、鍋容器内に仕切りを設け同時に二種類の鍋料理を楽しむ鍋がある。だがそれは厨房での調理用には不向きであった。またこれとは別に、おでん用の鍋で仕切りを設けたものもあるが、その仕切りは具材の混同を避けるためのもので、だし汁等の液体は同一で流通する構造であった。
【従来の技術の問題点】
【０００３】  熱湯あるいは加熱する方法が二段階以上で必要となる調理食品は、ガスコンロ等の二つ以上の熱源がある加熱器具に、二つ以上の鍋等をかけ用を足すか、あるいは、電子レンジあるいは電気ポットなどを併用して、一つの火元に鍋等をかけて用を足していた。
しかるに単身赴任者や学生など一人暮らしをやむなくするものにとっては、出来る限り余分な出費は抑えたいものである。電子レンジや電気ポットがない場合もあるし、鍋も一つしかない場合もある。鍋一つで出来るインスタント食品はもちろん多種多様豊富にある。しかし毎回お湯をかけるだけのインスタント食品では味気ないし、一人暮らしが益々侘しくなる。たまには、もう少しマシなものを、例えば、冷凍讃岐うどんとか、スパゲッティとか、あるいは一品おかずを増やしてゆで卵や冷凍ブロッコリーを、となるとお湯が二段階必要となる。加熱器が二つ以上、鍋等が二つ以上ある場合は問題がない。しかし、鍋が一つの場合、調理に時間差が出てくる。その場合、先に調理したものが冷めてしまうし、また時間もかかる。一つの鍋等で同時に二つ以上の調理が出来る方法の開発が必要である。
【考案が解決しようとする課題】
【０００４】  本案は、一つの鍋で同時に二つ以上の調理を行える鍋を開発しようとするものである。
【課題を解決するための手段】
【０００５】  本案の根幹は「一つの鍋容器内に間仕切り等を設け多槽の容器をもたせること」である。
いまその解決手段を図面に追いながら説明する。
（１）基本形。ここでは概念をわかりやすくするために基本形で説明する。
基本形は二槽式の容器で構成され一体型のものとする。
【図１】
参照（一体型）
（ａ）鍋容器内側に任意の割合で仕切りを設ける。
（ｂ）仕切りにより分かれた鍋容器の一方を第一槽、別の方を第二槽とし、ここではわかりやすくするため、仮に仕切る割合を半分とはせず、大きい方を第一槽、小さい方を第二層と呼ぶこととする。
（ｃ）仕切りは密閉性があり、第一槽の液体と第二槽の液体は混じりあわないものとする。
（ｄ）第一槽と第二槽の容器外側にそれぞれ注ぎ口を設けることが望ましい。
それは第一槽の液体と第二槽の液体は別目的に使用される可能性が高いからである。
（ｅ）第一槽と第二槽の容器内側に容量を示す目盛を設けることが望ましい。
それは利用する食品によっては、うどんをほぐすのに２リットルのお湯、だし汁には２５０ｃｃのお湯、というふうにお湯の量が指定されているものが多いからである。
（ｆ）鍋の高さは１２ｃｍ以上が望ましい。それはレトルト食品のパウチの加熱必要部分がその高さだと鍋内に納まるからである。
（ｇ）第二槽鍋の容器の幅は縦幅・横幅のいずれか短いほうは７ｃｍ以上あるほうが望ましい。それはゆで卵をするのにそれ以上の幅が適当であるからである。
（ｈ）上記の（ｅ）（ｆ）（ｇ）のことを考えると、仮に鍋を円筒形とするならば、その容器全体の内側の直径は２０ｃｍ以上が適当と思われる。
（ｉ）また、使うお湯の量によっては鍋が重くなるので、把手は二つある両手鍋のほうが望ましい。
（２）応用形。ここでは基本形から考えつく応用に対し言及する。
【図２】
【図３】
【図４】
【図５】
【図６】
参照
（ａ）鍋の仕切りは二槽にこだわらない。三層でもそれ以上でも構わない。
【図２】
参照（三槽式）
（ｂ）一つの鍋容器で仕切るのでなく、鍋を分離できるようにして複数の容器で槽を構成しても構わない。
【図３】
【図４】
参照（分離型）
鍋容器の合体の仕方であるが、簡単なものとして金属製のフック状のものが考えられるが、その方法については、既存の技術あるいは今後の技術に委ねる。参照図では、仮にその方法を採用している。
（ｃ）一つの鍋容器で仕切るのでなく、別の鍋容器を重ねて着脱できるようにして槽を構成しても構わない。
【図５】
【図６】
参照（着脱型）
小さい槽を持つ鍋の方を大きい鍋よりひと回り小さくして、大きな鍋に小さな鍋をすっぽりとはめ込む方法である。参照図では仮に内側の鍋の把手をフック状にして外側の鍋に重ね合わせている。
（３）鍋の大きさ、容量、形状、デザイン等については、この書類ではあくまで基本となる概念をわかりやすくするため述べただけで、それらのことは既存の技術に委ねる。容量を大きくして複数人数の調理用としても構わない。
（４）鍋の材質等、また容器に複数の材質を重ね合わせる方法等についても既存の技術に委ねる。
（５）鍋の蓋についても既存の技術に委ねる。
（６）麺等を茹でる際に、湯切り用に鍋の口径に適応したザル状の器具を用いることがあるが、それも既存の技術に委ねる。
（７）本案の鍋の概念を簡易に表現し普及させる名称として「やもめ鍋」等が考えられる。
【考案を実施するための最良の形態】
【０００６】  本案は、以上のような構造であるから、一つの熱源たとえばガスコンロ一つで複数のお湯を利用する調理を同時に行うことが出来る。一人暮らしをする者等にとって生活の一助となる。もちろん複数人数の家庭でも忙しい主婦の一助になるだろう。
〈参考例１〉二槽式の場合。第一槽に塩を少々振りパスタを茹でる。第二槽で同時にレトルト食品のミートソースを温める。１０分弱で本格的ミートスパゲッティの完成。
〈参考例２〉二槽式の場合。第一槽で冷凍讃岐うどんを茹でる。第二槽に適量の水を入れ沸騰したところで粉末うどんだしを入れる。７，８分で美味しい讃岐うどんが食べられる。
〈参考例３〉三槽式の場合。第一槽でパックご飯とレトルト食品のカレーを温める。第二槽で塩を少々入れゆで卵をつくる。第三層では冷凍ブロッコリーを茹でる。１０分少々でカレーライスとブロッコリー玉子サラダが完成。
【考案の効果】
【０００７】  したがって、この鍋を使うと、一つの熱源で同時に複数のお湯を使った調理をすることが出来るので、以下のことなどが効果として考えられる。
（１）単身者が余分な鍋を買わなくて済む。
（２）調理時間が短縮出来る。
（３）熱源が一つで済むので燃料費の節約になる。
（４）熱源が一つで済むので、アウトドアなど熱源に限りがあるところでは重宝である。
（５）単身者の偏りがちな食生活を改善する。
（６）忙しい主婦が余分な鍋を使ったり片付けたりしないで済む。
（７）冷凍食品やレトルト食品等のさらなる品質向上、種類の増加、普及を促す。
【図面の簡単な説明】
【図１】  本考案の基本形の斜視図
【図２】  本考案の応用形・三槽式のイメージ図
【図３】  本考案の応用形・分離型のイメージ図
【図４】  本考案の応用形・分離型の分離した時の図
【図５】  本考案の応用形・着脱型のイメージ図
【図６】  本考案の応用形・着脱型の着脱した時の図
【符号の説明】
１は鍋容器    ２は仕切り    ３は把手
４は注ぎ口    ５は目盛      ６はとめ具
【図１】
0003103421.tif 000003
【図２】
0003103421.tif 000004
【図３】
0003103421.tif 000005
【図４】
0003103421.tif 000006
【図５】
0003103421.tif 000007
【図６】
0003103421.tif 000008